(57)【要約】【課題】ＳＩＰシグナリングをＳＩＰプロキシまたはリダイレクト・サーバで使用した、モバイルから８０２．１１への音声マルチネットワーク・ローミングを提供すること。【解決手段】モバイル・ネットワークと無線ネットワークとの間でローミングを行う方法が、無線ネットワークを介して、モバイル通信装置内に配置されたユーザ・エージェントから招待を受信するステップを含み得る。モバイル通信装置は、モバイル・ネットワーク内の音声チャネルを介して通話に携わることができる。この方法は、それぞれが少なくとも１つのモバイル・ネットワークと、無線ネットワークとの間のインターフェースとして構成される、複数のゲートウェイのうちから、ユーザ・エージェントとの親和性を有する１つを選択するステップをも含み得る。通話の少なくとも一部が、選択されたゲートウェイを使用して、無線ネットワークを介して実施されるように、通話が、モバイル・ネットワークからハンドオーバーされ得る。【選択図】図１
2005184817.tif 000002
【特許請求の範囲】
【請求項１】
モバイル・ネットワークと無線ネットワークとの間でローミングを行う方法であって、
前記無線ネットワークを介して、モバイル通信装置内に配置されたユーザ・エージェントから、招待を受信するステップであって、前記モバイル通信装置が、前記モバイル・ネットワーク内の音声チャネルを介して通話に携わる、ステップと、
複数のゲートウェイのうちから、前記ユーザ・エージェントとの親和性を有する１つを選択するステップであって、それぞれのゲートウェイが、少なくとも１つのモバイル・ネットワークと前記無線ネットワークとの間のインターフェースである、ステップと、
前記通話の少なくとも一部が、前記選択されたゲートウェイを使用して、前記無線ネットワークを介して実施されるように、前記通話を前記モバイル・ネットワークからハンドオーバーするステップと
を含む方法。
【請求項２】
前記ハンドオーバーするステップが、前記招待を前記選択されたゲートウェイに経路指定するステップを含む、請求項１に記載の方法。
【請求項３】
ストリーミング・セッションが、前記ゲートウェイと前記モバイル通信装置との間で設定され、前記ハンドオーバーするステップが、前記ストリーミング・セッションを介して前記通話の少なくとも一部を実施するステップを含む、請求項１に記載の方法。
【請求項４】
前記選択するステップが、前記選択されたゲートウェイのネットワーク位置を判断するステップをさらに含み、前記ハンドオーバーするステップが、前記無線ネットワークを介して前記ユーザ・エージェントに応答を送信するステップをさらに含み、前記応答が、前記選択されたゲートウェイの前記ネットワーク位置を指定する、請求項１に記載の方法。
【請求項５】
前記モバイル通信装置が、前記選択されたゲートウェイに招待を送信し、それによって前記通話の少なくとも一部が実施される、前記ゲートウェイと前記モバイル通信装置との間のストリーミング・セッションを開始する、請求項４に記載の方法。
【請求項６】
前記無線ネットワークが、８０２．１１通信プロトコルのうちの少なくとも１つに従って構成される、請求項１に記載の方法。
【請求項７】
前記招待が、セッション開始プロトコルを使用してフォーマットされる、請求項１に記載の方法。
【請求項８】
前記モバイル・ネットワーク内の前記音声チャネルを切断するステップをさらに含む、請求項１に記載の方法。
【請求項９】
モバイル通信装置内で、モバイル・ネットワークと無線ネットワークとの間でローミングを行う方法であって、
前記モバイル・ネットワーク内の音声チャネルを介して実施される通話に携わるステップと、
前記無線ネットワークを介して、セッション開始プロトコル・サーバに招待を送信するステップであって、前記セッション開始プロトコル・サーバが、前記モバイル通信装置との親和性を有するモバイル−無線ネットワーク・ゲートウェイを選択し、前記通話の少なくとも一部が、前記選択されたモバイル−無線ネットワーク・ゲートウェイを使用して、前記無線ネットワークを介して実施されるように、前記通話がハンドオーバーされる、ステップと
を含む方法。
【請求項１０】
前記送信するステップが、
前記無線ネットワークを介して応答を受信するステップであって、前記応答が、前記選択されたモバイル−無線ネットワーク・ゲートウェイのネットワーク位置を指定する、ステップと、
前記選択されたモバイル−無線ネットワーク・ゲートウェイに、招待を送信するステップであって、前記選択されたモバイル−無線ネットワーク・ゲートウェイが、前記無線ネットワークを介して、前記モバイル通信装置とのストリーミング・セッションを開始し、前記通話の少なくとも一部が、前記ストリーミング・セッションを介して実施される、ステップと
をさらに含む、請求項９に記載の方法。
【請求項１１】
ストリーミング・セッションが、前記モバイル−無線ネットワーク・ゲートウェイと前記モバイル通信装置との間で設定され、前記通話の少なくとも一部が、前記ストリーミング・セッションを介して実施される、請求項９に記載の方法。
【請求項１２】
前記無線ネットワークが、８０２．１１通信プロトコルのうちの少なくとも１つに従って構成される、請求項９に記載の方法。
【請求項１３】
前記モバイル・ネットワーク内の前記音声チャネルを切断するステップをさらに含む、請求項９に記載の方法。
【請求項１４】
モバイル・ネットワークと無線ネットワークとの間でローミングを行うためのシステムであって、
装置と無線で通信するように、およびパケット交換網を介した通信を容易にするように構成されたアクセス・ポイント、を含む無線ネットワークと、
それぞれが、前記パケット交換網と少なくとも１つのモバイル・ネットワークとの間のインターフェースとして構成された、複数のゲートウェイと、
前記複数のゲートウェイのうちから、モバイル通信装置との親和性を有する１つのゲートウェイがどれかを判断する、ように構成されたセッション開始プロトコル・サーバと、
前記モバイル・ネットワークのモバイル音声チャネルを介して、モバイル通信装置と通信するように構成されたモバイル・データ基地局と、モバイル通話を経路指定するように、および前記モバイル・データ基地局を、前記複数のゲートウェイのうちの前記１つのゲートウェイにリンクするように構成されたモバイル交換局とを含む、少なくとも１つのモバイル・ネットワークと
を含み、前記セッション開始プロトコル・サーバによって判断される、前記複数のゲートウェイのうちの前記１つのゲートウェイと、前記モバイル交換局とが連携して動作して、前記モバイル・ネットワークと前記無線ネットワークとの間で通話をハンドオーバーするシステム。
【請求項１５】
前記セッション開始プロトコル・サーバが、前記モバイル通信装置とゲートウェイとの間の親和性を判断するように、および前記無線ネットワークを介して前記モバイル通信装置から受信された招待を、前記モバイル通信装置との親和性を有する前記ゲートウェイに経路指定するように構成された、セッション開始プロトコル・プロキシ・サーバである、請求項１４に記載のシステム。
【請求項１６】
前記セッション開始プロトコル・サーバが、前記モバイル通信装置とゲートウェイとの間の親和性を判断するように、および前記モバイル通信装置からの招待に応答するように構成された、セッション開始プロトコル・リダイレクト・サーバであり、前記応答が、前記モバイル通信装置との親和性を有する前記ゲートウェイのネットワーク位置を指定する、請求項１４に記載のシステム。
【請求項１７】
前記モバイル通信装置が、前記無線ネットワークを介して、前記セッション開始プロトコル・リダイレクト・サーバによって判断された前記ゲートウェイに招待を送信する、請求項１６に記載のシステム。
【請求項１８】
モバイル・ネットワークと無線ネットワークとの間でローミングを行うためのシステムであって、
前記無線ネットワークを介して、モバイル通信装置内に配置されたユーザ・エージェントから招待を受信する手段であって、前記モバイル通信装置が、前記モバイル・ネットワーク内の音声チャネルを介して通話に携わる、手段と、
複数のゲートウェイのうちから、前記ユーザ・エージェントとの親和性を有する１つのゲートウェイを選択する手段であって、それぞれのゲートウェイが、少なくとも１つのモバイル・ネットワークと前記無線ネットワークとの間のインターフェースである、手段と、
前記通話の少なくとも一部が、前記選択されたゲートウェイを使用して、前記無線ネットワークを介して実施されるように、前記モバイル・ネットワークから前記通話をハンドオーバーする手段と
を含むシステム。
【請求項１９】
前記ハンドオーバーする手段が、前記招待を前記選択されたゲートウェイに経路指定する手段を含む、請求項１８に記載のシステム。
【請求項２０】
ストリーミング・セッションが前記ゲートウェイと前記モバイル通信装置との間で設定され、前記ハンドオーバーする手段が、前記ストリーミング・セッションを介して前記通話の少なくとも一部を実施する手段をさらに含む、請求項１８に記載のシステム。
【請求項２１】
前記選択する手段が、前記選択されたゲートウェイのネットワーク位置を判断し、また前記ハンドオーバーする手段が、前記無線ネットワークを介して前記ユーザ・エージェントに応答を送信する手段をさらに含み、前記応答が、前記選択されたゲートウェイの前記ネットワーク位置を指定する、請求項１８に記載のシステム。
【請求項２２】
前記モバイル通信装置が前記選択されたゲートウェイに招待を送信し、それによって、前記通話の少なくとも一部が実施される、前記ゲートウェイと前記モバイル通信装置との間のストリーミング・セッションを開始する、請求項２１に記載のシステム。
【請求項２３】
前記無線ネットワークが、８０２．１１通信プロトコルのうちの少なくとも１つに従って構成される、請求項１８に記載のシステム。
【請求項２４】
前記招待が、セッション開始プロトコルを使用してフォーマットされる、請求項１８に記載のシステム。
【請求項２５】
前記モバイル・ネットワーク内の前記音声チャネルを切断する手段をさらに含む、請求項１８に記載のシステム。
【請求項２６】
モバイル・ネットワークと無線ネットワークとの間でローミングを行うように構成されたモバイル通信装置であって、
前記モバイル・ネットワーク内の音声チャネルを介して実施される通話に携わる手段と、
前記無線ネットワークを介して、セッション開始プロトコル・サーバに招待を送信する手段であって、前記セッション開始プロトコル・サーバが、前記モバイル通信装置との親和性を有するモバイル−無線ネットワーク・ゲートウェイを選択し、前記通話の少なくとも一部が、前記選択されたモバイル−無線ネットワーク・ゲートウェイを使用して、前記無線ネットワークを介して実施されるように、前記通話がハンドオーバーされる、手段と
を含むモバイル通信装置。
【請求項２７】
前記送信手段が、
前記無線ネットワークを介して応答を受信する手段であって、前記応答が、前記選択されたモバイル−無線ネットワーク・ゲートウェイのネットワーク位置を指定する、手段と、
前記選択されたモバイル−無線ネットワーク・ゲートウェイに、招待を送信する手段であって、前記選択されたモバイル−無線ネットワーク・ゲートウェイが、前記無線ネットワークを介して、前記モバイル通信装置とのストリーミング・セッションを開始し、前記通話の少なくとも一部が前記ストリーミング・セッションを介して実施される手段と、
を含む請求項２６に記載のシステム。
【請求項２８】
ストリーミング・セッションが、前記モバイル−無線ネットワーク・ゲートウェイと前記モバイル通信装置との間で設定され、前記通話の少なくとも一部が前記ストリーミング・セッションを介して実施される、請求項２６に記載のシステム。
【請求項２９】
前記無線ネットワークが、８０２．１１通信プロトコルのうちの少なくとも１つに従って構成される、請求項２６に記載のシステム。
【請求項３０】
マシンによって実行可能な複数のコード・セクションを持ったコンピュータ・プログラム、が格納されたマシン可読記憶装置であって、前記マシンに、
無線ネットワークを介して、モバイル通信装置内に配置されたユーザ・エージェントから招待を受信するステップであって、前記モバイル通信装置が、モバイル・ネットワーク内の音声チャネルを介して通話に携わる、ステップと、
複数のゲートウェイのうちから、前記ユーザ・エージェントとの親和性を有する１つのゲートウェイを選択するステップであって、それぞれのゲートウェイが少なくとも１つのモバイル・ネットワークと前記無線ネットワークとの間のインターフェースである、ステップと、
前記通話の少なくとも一部が、前記選択されたゲートウェイを使用して、前記無線ネットワークを介して実施されるように、前記モバイル・ネットワークから前記通話をハンドオーバーするステップと
を実施させるためのマシン可読記憶装置。
【請求項３１】
前記ハンドオーバーするステップが、前記招待を前記選択されたゲートウェイに経路指定するステップを含む、請求項３０に記載のマシン可読記憶装置。
【請求項３２】
ストリーミング・セッションが、前記ゲートウェイと前記モバイル通信装置との間で設定され、前記ハンドオーバーするステップが、前記ストリーミング・セッションを介して前記通話の少なくとも一部を実施するステップを含む、請求項３０に記載のマシン可読記憶装置。
【請求項３３】
前記選択するステップが、前記選択されたゲートウェイのネットワーク位置を判断するステップをさらに含み、また前記ハンドオーバーするステップが、前記無線ネットワークを介して前記ユーザ・エージェントに応答を送信するステップをさらに含み、前記応答が、前記選択されたゲートウェイの前記ネットワーク位置を指定する、請求項３０に記載のマシン可読記憶装置。
【請求項３４】
前記モバイル通信装置が、前記選択されたゲートウェイに招待を送信し、それによって前記通話の少なくとも一部が実施される、前記ゲートウェイと前記モバイル通信装置との間のストリーミング・セッションを開始する、請求項３３に記載のマシン可読記憶装置。
【請求項３５】
前記無線ネットワークが、８０２．１１通信プロトコルのうちの少なくとも１つに従って構成される、請求項３０に記載のマシン可読記憶装置。
【請求項３６】
前記招待が、セッション開始プロトコルを使用してフォーマットされる、請求項３０に記載のマシン可読記憶装置。
【請求項３７】
前記モバイル・ネットワーク内の前記音声チャネルを切断するステップをさらに含む、請求項３０に記載のマシン可読記憶装置。
【請求項３８】
マシンによって実行可能な複数のコード・セクションを持ったコンピュータ・プログラム、が格納されたマシン可読記憶装置であって、前記マシンに、
モバイル・ネットワーク内の音声チャネルを介して実施される通話に携わるステップと、
無線ネットワークを介して、セッション開始プロトコル・サーバに招待を送信するステップであって前記セッション開始プロトコル・サーバが、モバイル通信装置との親和性を有するモバイル−無線ネットワーク・ゲートウェイを選択し、前記通話の少なくとも一部が、前記選択されたモバイル−無線ネットワーク・ゲートウェイを使用して、前記無線ネットワークを介して実施されるように、前記通話がハンドオーバーされる、ステップと
を実施させるためのマシン可読記憶装置。
【請求項３９】
前記送信するステップが、
前記無線ネットワークを介して応答を受信するステップであって、前記応答が、前記選択されたモバイル−無線ネットワーク・ゲートウェイのネットワーク位置を指定する、ステップと、
前記選択されたモバイル−無線ネットワーク・ゲートウェイに、招待を送信するステップであって、前記選択されたモバイル−無線ネットワーク・ゲートウェイが、前記無線ネットワークを介して、前記モバイル通信装置とのストリーミング・セッションを開始し、前記通話の少なくとも一部が前記ストリーミング・セッションを介して実施される、ステップと
をさらに含む、請求項３８に記載のマシン可読記憶装置。
【請求項４０】
ストリーミング・セッションが、前記モバイル−無線ネットワーク・ゲートウェイと前記モバイル通信装置との間で設定され、前記通話の少なくとも一部が前記ストリーミング・セッションを介して実施される、請求項３８に記載のマシン可読記憶装置。
【請求項４１】
前記無線ネットワークが、８０２．１１通信プロトコルのうちの少なくとも１つに従って構成される、請求項３８に記載のマシン可読記憶装置。
【請求項４２】
前記モバイル・ネットワーク内の前記音声チャネルを切断するステップをさらに含む、請求項３８に記載のマシン可読記憶装置。
【発明の詳細な説明】
【技術分野】
【０００１】
本発明は、モバイル通信の分野に関し、より詳細には、モバイル・ネットワークに関連して、無線ネットワーキングを使用することに関する。
【背景技術】
【０００２】
無線ネットワークは、米国、ヨーロッパ、およびアジア全体にわたって何千ものいわゆるホット・スポットが展開されるのにつれて、ますます普及しつつある。ホット・スポットは、装置がアクセス・ポイントと無線で通信することができる、無線アクセス・ポイントを囲むカバレージ・エリアを指す。そのアクセス・ポイントは一般に、無線トランシーバを含み、またインターネットなどのパケット交換通信網に接続される。したがって、アクセス・ポイントは、アクセス・ポイントと無線通信リンクを確立することができる装置に、ネットワーク接続を提供する。モバイル・ユーザは、通信ネットワークとの接続を維持しながら、複数のホット・スポット間をローミングすることができる。ホット・スポットまたは無線ネットワークの例には、８０２．１１無線通信プロトコルのうちの１つをもとに構築されたものが含まれ得る。
【０００３】
現在、こうした無線ネットワークは、モバイル通信ネットワークとは独立に機能する。こうした無線ネットワーク、具体的には、８０２．１１無線ネットワークはしばしば、単にデータ・ネットワークとして機能する。すなわち、音声通信は一般に、こうしたネットワークを介して運ばれない。したがって、モバイル・ネットワークの音声機能は、８０２．１１無線ネットワークにまだ組み込まれていない。
【発明の開示】
【発明が解決しようとする課題】
【０００４】
本発明は、モバイル装置ユーザが、通話を中断せずに、モバイル・ネットワークと無線ネットワークの間で自由にローミング（契約している通信事業者の提供エリア外でも使用すること）できるようにするための方法、システムおよび装置を提供する。
【課題を解決するための手段】
【０００５】
より具体的には、モバイル通話の少なくとも一部、たとえばモバイル・ネットワークとユーザまたは加入者の間の通話の一区間が、無線ネットワークにハンドオーバーされ得る。本明細書で開示する本発明の構成によれば、１つまたは複数のゲートウェイ群が、無線ネットワークとモバイル・ネットワークの間のインターフェースとして働き得る。それぞれのゲートウェイは、特定のモバイル・ネットワークに関連付けることができ、したがって、特定の通信装置または加入者あるいはその両方との親和性を有する。本発明は、セッション開始プロトコル・サーバを使用して、１つまたは複数のゲートウェイ群のうちから、モバイル・ネットワークから無線ネットワークに通話をハンドオーバーする際に使用される適切なゲートウェイを選択する。
【０００６】
本発明の一態様は、モバイル・ネットワークと無線ネットワークの間でローミングする方法を含み得る。この方法は、モバイル・ネットワーク内の音声チャネルを介して通話に携わる、モバイル通信装置内に配置されたユーザ・エージェントから、無線ネットワークを介して招待を受信するステップを含み得る。複数のゲートウェイのうちから、１つのゲートウェイが選択され得る。それぞれのゲートウェイは、少なくとも１つのモバイル・ネットワークと無線ネットワークの間のインターフェースとして働き得るので、選択されたゲートウェイは、ユーザ・エージェントとの親和性を有し得る。通話の少なくとも一部が、選択されたゲートウェイを使用して、無線ネットワークを介して実施されるように、通話がモバイル・ネットワークからハンドオーバーされ得る。
【０００７】
本発明の一実施形態では、ハンドオーバーのステップは、招待を、選択されたゲートウェイに経路指定することを含み得る。そのゲートウェイとモバイル通信装置の間で、ストリーミング・セッションが設定され得る。したがって、ハンドオーバー・ステップは、ストリーミング・セッションを介して、少なくとも通話の一部を実施することを含み得る。
【０００８】
本発明の別の実施形態では、選択ステップが、選択されたゲートウェイのネットワーク位置を判断することを含み得る。ハンドオーバー・ステップはさらに、無線ネットワークを介してユーザ・エージェントに応答を送信することを含み得る。この応答は、選択されたゲートウェイのネットワーク位置を指定し得る。その場合、モバイル通信装置は、選択されたゲートウェイに、招待を送信することができ、それによって、ゲートウェイとモバイル通信装置の間のストリーミング・セッションが開始され、このストリーミング・セッションを介して、通話の少なくとも一部が実施される。
【０００９】
本発明のさらに別の実施形態では、無線ネットワークは、８０２．１１通信プロトコルのうちの少なくとも１つに従って構成され得る。招待は、セッション開始プロトコルを使用してフォーマットされ得る。この方法はさらに、モバイル・ネットワーク内の音声チャネルを切断するステップを含み得る。
【００１０】
本発明の別の態様は、モバイル通信装置内で、モバイル・ネットワークと無線ネットワークの間でローミングする方法を含み得る。この方法は、モバイル・ネットワーク内の音声チャネルを介して実施される通話に携わるステップと、無線ネットワークを介してセッション開始プロトコル・サーバに、招待を送信するステップとを含み得る。セッション開始プロトコル・サーバは、招待を送信したモバイル通信装置との親和性を有するモバイル−無線ネットワーク・ゲートウェイを選択し得る。選択されたモバイル−無線ネットワーク・ゲートウェイを使用して、無線ネットワークを介して通話の少なくとも一部が実施されるように、通話がハンドオーバーされ得る。
【００１１】
別の実施形態では、送信ステップが、無線ネットワークを介して、選択されたモバイル−無線ネットワーク・ゲートウェイのネットワーク位置を指定する応答を受信すること、および選択されたモバイル−無線ネットワーク・ゲートウェイに、招待を送信することを含み得る。選択されたモバイル−無線ネットワーク・ゲートウェイは、通話の少なくとも一部が、ストリーミング・セッションを介して実施されるように、無線ネットワークを介したモバイル通信装置とのストリーミング・セッションを開始し得る。
【００１２】
本発明の別の実施形態では、通話の少なくとも一部がストリーミング・セッションを介して実施されるように、ストリーミング・セッションが、モバイル−無線ゲートウェイとモバイル通信装置の間で設定され得る。特に、無線ネットワークは、８０２．１１通信プロトコルのうちの少なくとも１つに従って構成され得る。この方法はさらに、モバイル・ネットワーク内の音声チャネルを切断するステップを含み得る。
【００１３】
本発明のさらに別の態様は、モバイル・ネットワークと無線ネットワークの間でローミングするためのシステムを含み得る。このシステムは、アクセス・ポイントを含む無線ネットワークと、１つまたは複数のゲートウェイと、セッション開始プロトコル・サーバとを含み得る。無線ネットワークは、装置と無線で通信し、またパケット交換網を介した通信を容易にするように構成され得る。それぞれのゲートウェイは、パケット交換網と、少なくとも１つのモバイル・ネットワークの間のインターフェースとして構成され得る。セッション開始プロトコル・サーバは、ゲートウェイのうちのどのゲートウェイが、モバイル通信装置との親和性を有するかを判断し得る。
【００１４】
このシステムはさらに、モバイル・ネットワークのモバイル音声チャネルを介して、モバイル通信装置と通信するように構成されたモバイル・データ基地局、およびモバイル通話を経路指定し、またモバイル・データ基地局をゲートウェイのうちの１つにリンクするように構成されたモバイル交換局を含む、１つまたは複数のモバイル・ネットワークを含み得る。セッション開始プロトコル・サーバによって判断される、ゲートウェイのうちの選択された１つ、およびモバイル交換局は、連携して動作して、モバイル・ネットワークと無線ネットワークの間で通話をハンドオーバーすることができる。
【００１５】
本発明の一実施形態では、セッション開始プロトコル・サーバは、モバイル通信装置とゲートウェイの間の親和性を判断し、また無線ネットワークを介してモバイル通信装置から受信された招待を、モバイル通信装置との親和性を有するゲートウェイに経路指定するように構成された、セッション開始プロトコル・プロキシ・サーバであり得る。本発明の別の実施形態では、セッション開始プロトコル・サーバは、モバイル通信装置とゲートウェイの間の親和性を判断するように構成された、セッション開始プロトコル・リダイレクト・サーバであり得る。セッション開始プロトコル・リダイレクト・サーバは、モバイル通信装置からの招待に応答し得る。この応答は、モバイル通信装置との親和性を有するゲートウェイのネットワーク位置を指定し得る。したがって、モバイル通信装置は、無線ネットワークを介して、セッション開始プロトコル・リダイレクト・サーバによって判断されたゲートウェイに、招待を送信することができる。
【００１６】
図面に、現在好まれる実施形態を示すが、しかし、本発明は、図示する厳密な構成および手段に限定されないことが理解されよう。
【発明を実施するための最良の形態】
【００１７】
図１は、本明細書に開示する本発明の構成による、１つまたは複数のモバイル通信ネットワーク（モバイル・ネットワーク）と無線通信ネットワーク（無線ネットワーク）の間でローミングするためのシステム１００を示す概略図である。図示するように、システム１００は、１つまたは複数の無線ネットワーク１０５、１つまたは複数のモバイル・ネットワーク１２５、１４５、１５０、公衆交換電話網（ＰＳＴＮ：Public Switched Telephone Network）１５５、およびインターネット１８０などのパケット交換網を含み得る。
【００１８】
無線ネットワーク１０５は、任意の無線ネットワークとすることができ、８０２．１１によるＴＣＰ／ＩＰは、その一例である。したがって、無線ネットワーク１０５は、１つまたは複数のアクセス・ポイント１１０および１１５を含み得る。アクセス・ポイント１１０および１１５はそれぞれ、８０２．１１無線接続を介して通信することができる１つまたは複数のモバイル通信装置、たとえばモバイル通信装置１８５と通信するためのトランシーバを含み得る。それぞれのアクセス・ポイント１１０、１１５はさらに、インターネット１８０への有線接続を含み得る。したがって、それぞれのアクセス・ポイント１１０、１１５は、８０２．１１通信プロトコルを介して通信する無線またはモバイル通信装置と、インターネット１８０などのパケット交換網との間のインターフェースとして働くように構成される。
【００１９】
モバイル・ネットワーク１２５は、それだけに限らないが、従来の携帯電話ネットワーク、または個人通信サービス（ＰＣＳ：Personal Communications Service）ネットワーク（以下、「モバイル・ネットワーク」と称する）を含めて、様々な異なる無線電話ネットワークのうちのいずれかであり得る。モバイル・ネットワーク１２５は、１つまたは複数のモバイル・データ基地局（ＭＤＢＳ：MobileData Base Station）１３０、およびモバイル交換局（ＭＳＣ：Mobile Switching Center）１３５を含み得る。図示するように、モバイル・ネットワーク１２５は、モバイル通信装置１８５が音声チャネルを介してＭＤＢＳ１３０と無線で通信することができる、カバレージ・エリア１４０を有し得る。
【００２０】
ＭＤＢＳ１３０は、モバイル通信装置１８５などの無線装置に、通信を送信し、またそこから通信を受信することができる。たとえば、ＭＤＢＳ１３０は、モバイル通信装置１８５と無線で通信するためのタワー（図示せず）を含み得る。このタワーは、タワーからのデータ・ストリームを有効な信号に変換し、また携帯電話（またはモバイル）の交換されたデータ・コールをＰＳＴＮ１５５または別のモバイル宛先あるいはその両方に経路指定するための、ＭＤＢＳ１３０内のハードウェア、およびいずれの必要なソフトウェアとも通信可能にリンクされ得る。ＭＤＢＳ１３０は、モバイル・ネットワーク側から、モバイル通信装置１８５の無線インターフェースを管理し、それにアクセスする。ＭＳＣ１３５は、デジタル音声データ・パケットを、あるネットワーク・パスから別のネットワーク・パスに交換することによって、通話を接続するためのハードウェア、およびいずれの必要なソフトウェアをも含む。ＭＳＣ１３５は、通話を効果的に経路指定し、またユーザ登録、認証、および位置更新などの情報を提供することもできる。モバイル・ネットワーク１４５および１５０は、本明細書で述べるモバイル・ネットワーク１２５に実質上類似得る。
【００２１】
システム１００はさらに、１つまたは複数のゲートウェイ１９０、１９２および１９４を含み得る。それぞれのゲートウェイ１９０〜１９４は、モバイル・ネットワークのうちの１つと、インターネット１８０と、ＰＳＴＮ１５５との間のインターフェースの働きをするためのハードウェア、およびいずれの必要なソフトウェアをも含み得る。すわなち、それぞれのゲートウェイは、インターネット１８０と、ＰＳＴＮ１５５と、特定のモバイル・ネットワーク、たとえばモバイル・ネットワーク１２５、１４５または１５０との間のインターフェースとして働く。図示するように、ゲートウェイ１９０は、モバイル・ネットワーク１２５に関連付けられ、ゲートウェイ１９２は、モバイル・ネットワーク１４５に関連付けられ、またゲートウェイ１９４は、モバイル・ネットワーク１５０に関連付けられる。たとえば、それぞれのモバイル・ネットワークは、特定のモバイル通信事業者によって運営され得る。したがって、それぞれのモバイル・ネットワークは、特定のゲートウェイ、たとえばその通信事業者によって所有され、または運営される特定のゲートウェイに関連付けられ得る。したがって、それぞれのモバイル通信装置または加入者もまた、特定の通信事業者に、よって、モバイル・ネットワークに関連付けられ、またはそれに加入している。このように、それぞれのモバイル通信装置は、特定のゲートウェイとの親和性を有すると言える。
【００２２】
それぞれのゲートウェイ１９０、１９２および／または１９４は、インターネット１８０とのインターフェースとして働き得るが、それぞれのゲートウェイは、広域エリア・ネットワーク、ローカル・エリア・ネットワーク、イントラネットなどの他のパケット交換網（図示せず）とのインターフェースとしても使用され得る。いずれにせよ、ゲートウェイ１９０、１９２および１９４は、それぞれの対応するモバイル・ネットワーク１２５、１４５、または１５０、ＰＳＴＮ１５５、および／またはインターネット１８０から受信されるデータを、こうしたネットワークのうちの別の１つを介して送信するために、フォーマット変換することができる。たとえば、それぞれのゲートウェイは、モバイル・ネットワークのうちの１つで使用するためにフォーマットされたデータ、ＰＳＴＮ１５５などの回路交換ネットワーク上で使用するためにフォーマットされたデータ、およびインターネット１８０上で使用するためにパケット交換されたデータを受信することができる。インターネット１８０または他のパケット交換網に関して、ゲートウェイは、こうしたネットワークを介して通話を実施するために使用され得るように、ボイス・オーバ・インターネット・プロトコル（ＶＯＩＰ：Voice-Over Internet Protocol）形式でフォーマットされたデータを送受信することができる。ゲートウェイは、ある形式から別の形式にデータを変換することができるので、それぞれのモバイル・ネットワーク１２５、１４５、１５０と、ＰＳＴＮ１５５と、インターネット１８０との間で、データが自由に交換され得る。
【００２３】
ゲートウェイ１９０、１９２および１９４は、それぞれの対応するモバイル・ネットワークから離れて配置されるように示されているが、ゲートウェイは、そのように配置される必要はないことを理解されたい。そうではなく、ゲートウェイ１９０、１９２および／または１９４は、ＰＳＴＮ１５５、またはインターネット１８０の一部として含めることもできる。本発明の一実施形態では、ゲートウェイ１９０は、モバイル・ネットワーク１２５内に、ゲートウェイ１９２は、モバイル・ネットワーク１４５内に、またゲートウェイ１９４は、モバイル・ネットワーク１５０内に含められ得る。
【００２４】
ＰＳＴＮ１５５は、サービス交換ポイント（ＳＳＰ：Service SwitchingPoint）１６０および１６５、信号転送ポイント（ＳＴＰ：Signal Transfer Point）１７０および１７５、ならびに１つまたは複数の交換システム（図示せず）を含み得る。ＳＳＰ１６０および１６５は、交換システムＮｏ．７（ＳＳ７：SwitchingSystem No.7）通信リンクによって相互接続される電話交換機である。ＳＳＰ１６０および１６５は、それぞれの個別の場所で、生起し、タンデム化し、または終了する通話について、通話処理を実施する。ＳＳＰ１６０および１６５は、通話関連の情報を、他のＳＳＰ（図示せず）に転送し、またはサービス制御ポイント（図示せず）に、経路指定命令について問い合わせるために、ＳＳ７メッセージを生成し得る。ＳＴＰ１７０および１７５は、ネットワーク・スイッチとデータベースの間で、メッセージを中継する交換機である。ＳＴＰ１７０および１７５は、ＳＳ７メッセージのアドレス・フィールドに基づいて、正確な発信シグナリング・リンクにＳＳ７メッセージを経路指定することができる。
【００２５】
セッション開始プロトコル（ＳＩＰ：Session InitiationProtocol）サーバ１９８は、インターネット１８０などのパケット交換網に、通信可能にリンクされ得る。ＳＩＰサーバ１８５は、インターネット１８０との通信リンクを有する、適切な情報処理システム内で実行されるアプリケーションであり得る。ＳＩＰは、動画、音声、チャット、ゲームおよびバーチャル・リアリティなどのマルチメディア要素を含む、インタラクティブなユーザ・セッションを開始するための標準のプロトコルである。ＳＩＰは、マルチメディア・セッションまたはインターネット通話を、確立し、変更し、終了するための、オープン・システム相互接続（ＯＳＩ：OpenSystems Interconnection）通信モデルのアプリケーション層で機能する。このプロトコルを使用して、必ずしもイニシエータを必要としない、ユニキャストまたはマルチキャスト・セッションに、参加者を招待することもできる。ＳＩＰは、ネーム・マッピングおよびリダイレクション・サービスをサポートするので、ＳＩＰによって、ユーザは、どの場所からでも、通信およびサービスを開始し受信することができ、またネットワークは、ユーザがどこに位置し得るとしても、ユーザを識別することができる。
【００２６】
ＳＩＰは、クライアントからの要求、およびサーバからの応答に対処する、要求−応答プロトコルである。参加者は、ＳＩＰユニフォーム・リソース・ロケータ（ＵＲＬ：Uniform Resource Locator）によって識別される。要求は、ユーザ・データグラム・プロトコル（ＵＤＰ：UserDatagram Protocol）、ストリーム制御伝送プロトコル（ＳＣＴＰ：Stream Control Transmission Protocol）、または伝送制御プロトコル（ＴＣＰ：TransmissionControl Protocol）などの任意のトランスポート・プロトコルを介して送信され得る。ＳＩＰは、セッションで使用される終端システム、通信媒体およびメディア・パラメータ、ならびに被通話側の通信への参加の希望を判断する。こうしたパラメータが確かめられたら、ＳＩＰは、通信のいずれの終端でも、コール・パラメータを確立し、通話転送および着信を処理する。
【００２７】
ＳＩＰサーバ１９８は、モバイル通信装置１８５などのモバイル通信装置から、ＳＩＰ招待を受信し得る。こうした招待を受信したことに応答して、ＳＩＰサーバ１９８は、どのゲートウェイが、要求元のモバイル通信装置１８５または加入者との親和性を有するかを判断することができる。たとえば、モバイル通信装置１８５は、モバイル・ネットワーク１２５およびゲートウェイ１９０との親和性を有し得る。ＳＩＰサーバ１９８がモバイル通信装置１８５から招待を受信すると、ＳＩＰサーバ１９８は、モバイル通信装置１８５がゲートウェイ１９０との親和性を有すると判断し得る。
【００２８】
本発明の一実施形態では、ＳＩＰサーバ１９８は、ＳＩＰプロキシ・サーバとして構成され得る。その場合、ＳＩＰプロキシ・サーバは、ＳＩＰルックアップおよびディレクトリ・スキーマを使用して、要求元との親和性を有する特定のゲートウェイを識別することができる。本発明の別の実施形態では、ＳＩＰサーバ１９８は、ＳＩＰリダイレクト・サーバとして実装され得る。その場合、ＳＩＰリダイレクト・サーバは、要求元装置が親和性を有する対象のゲートウェイのネットワーク位置、たとえばアドレスを付けて、要求元に応答することができる。したがって、モバイル通信装置１８５は、ＳＩＰリダイレクト・サーバから応答を受信すると、そのゲートウェイと直接に通信することができる。
【００２９】
モバイル通信装置１８５は、モバイル・ネットワーク１２５、１４５および／または１５５のうちの少なくとも１つ、ならびに無線ネットワーク１０５を介して通信するように構成され得る。モバイル通信装置１８５は、モバイル・ネットワークと無線ネットワークの両方を介して通信するためのトランシーバを含み得る。さらに、モバイル通信装置１８５は、それぞれのネットワークから受信される信号のパワーを測定し、それぞれ個別のネットワークに送信される信号の送信強度を変更するように構成され得る。さらに、モバイル通信装置１８５は、それ上で実行されるＳＩＰユーザ・エージェントをも含み得る。ＳＩＰユーザ・エージェントは、無線ネットワーク１０５を介して交換される、ＳＩＰフォーマットのメッセージを符号化および復号することができる。本発明の一実施形態では、モバイル通信装置１８５は、携帯電話として実装され得る。しかし、本明細書で述べるように構成された任意の通信装置が使用され得ることが当業者には理解されよう。
【００３０】
図２は、本発明の一実施形態による、モバイル・ネットワークと無線ネットワークの間でローミングする方法２００を示すフローチャートである。方法２００は、ＳＩＰサーバがＳＩＰプロキシ・サーバとして構成される、図１のシステムを使用して実施することができる。したがって、方法２００は、ユーザが、モバイル・ネットワークおよび８０２．１１準拠の無線ネットワークを介して通信するように構成された、モバイル通信装置を有する状態で開始し得る。さらに、モバイル通信装置は、それ上で実行されるＳＩＰユーザ・エージェントを含み得る。
【００３１】
この方法２００は、ユーザがモバイル通信装置をアクティブ化して、モバイル・ネットワークを介して通話を確立する、ステップ２０５で開始し得る。通話が確立されると、ステップ２１０で、ユーザおよびモバイル通信装置は、８０２．１１準拠の無線アクセス・ポイントの範囲内でローミングすることができる。ステップ２１５で、モバイル通信装置は、無線アクセス・ポイントを検出し、ステップ２２０で、ＳＩＰプロキシ・サーバに、招待を送信し得る。この招待は、無線通信リンクを介して無線アクセス・ポイントに送信される、ＳＩＰ招待であり得る。この無線アクセス・ポイントは、招待を、インターネットまたは別のパケット交換網を介して、ＳＩＰプロキシ・サーバに転送する。
【００３２】
ステップ２２５で、ＳＩＰプロキシ・サーバは、要求元モバイル通信装置が親和性を有する対象のゲートウェイを判断する。より具体的には、ＳＩＰプロキシ・サーバは、ＳＩＰ招待を発行した、モバイル通信装置内に配置されたユーザ・エージェントとの親和性を有するゲートウェイを判断する。ステップ２３０で、ＳＩＰプロキシ・サーバは、受信された招待を、ステップ２２５で判断されたゲートウェイに転送することができる。
【００３３】
ステップ２３５で、選択されたゲートウェイは、ＳＩＰプロキシ・サーバから、ＳＩＰ招待を受信し、モバイル通信装置内で実行されるＳＩＰユーザ・エージェントを認証する。ステップ２４０で、モバイル通信装置は、モバイル・ネットワークに送信するために使用される送信パワーを減少させ得る。
【００３４】
たとえば、本発明の一実施形態では、モバイル通信装置は、モバイル・ネットワークと無線ネットワークの両方から検出された信号の強度またはパワーを比較するように構成され得る。したがって、無線ネットワークから検出された信号の強度が、モバイル・ネットワークから検出された信号の強度より大きい場合は、モバイル通信装置は、モバイル・ネットワークに送信するために使用される送信パワーを減少させ、あるいは別の方法で、モバイル・ネットワークに送信される信号を減衰させるように構成され得る。そうでない場合は、モバイル通信装置は、低減されたパワーで、信号をモバイル・ネットワークに送信し、あるいは別の方法で、モバイル・ネットワークに送信される信号を減衰させる必要はない。その場合、通話は、モバイル・ネットワークを介して継続し得る。
【００３５】
ステップ２４５で、ＭＤＢＳは、モバイル装置から送信されている減衰された信号を検出し測定する。ＭＤＢＳは、この情報を、ＭＳＣに伝達することができる。ＭＳＣは、ＭＤＢＳ内でモバイル通信装置から受信された、減衰された信号に関する情報を受信すると、ステップ２５０で、別のＭＤＢＳに通話をハンドオーバーするように試みる。モバイル・ネットワークによって、モバイル通信装置からの減衰された信号が検出されるときに、ＭＳＣ内で、ハンドオーバー状態がトリガされるように、モバイル通信装置は、所定のレベルにまで、モバイル・ネットワークへの送信パワーを低下させ、またはモバイル・ネットワークに送信される信号を減衰させるように構成され、またはプログラムされ得ることを理解されたい。すなわち、ＭＳＣは、モバイル通信装置から受信された信号のパワーが、閾値レベル未満であると測定される場合に、ハンドオーバーを開始し得る。ＭＳＣは、ゲートウェイに、検出されたいずれのハンドオーバー状態についても通知するように構成することもできる。
【００３６】
ステップ２５５で、ゲートウェイは、標準の通信プロトコル、たとえば、規格ＩＳ−４１を使用して、ＭＳＣに、ゲートウェイがモバイル通信装置から、最小限のパワーまたは強度を有する信号を受信したことを知らせる信号を送る。たとえば、アクセス・ポイントは、モバイル通信装置から受信される信号の強度を検出し、ゲートウェイに、その情報を提供することができる。
【００３７】
ステップ２６０で、ゲートウェイは、モバイル通信装置内のＳＩＰユーザ・エージェントの認証に成功したかどうかを判断し得る。そうでない場合は、この方法は、ゲートウェイが、モバイル通信装置とのインターネット・プロトコル（ＩＰ：Internet Protocol）・ストリーミング・セッションの設定を拒否する、ステップ２６５に進み得る。その場合、この方法は、終了することができ、通話は、モバイル・ネットワークと存続し得る。ＳＩＰユーザ・エージェントの認証に成功する場合、この方法は、ステップ２７０に進み得る。
【００３８】
ステップ２７０で、ゲートウェイは、リアルタイム・プロトコル（ＲＴＰ：RealTime Protocol）などの標準のストリーミング・プロトコルを使用して、無線アクセス・ポイントを介したモバイル通信装置とのＩＰストリーミング・セッションを設定する。ステップ２７５で、ＭＳＣは、ＭＤＢＳからゲートウェイに、通話を交換する。ステップ２７５の完了後に、モバイル通信装置が関与する、通話の一区間または一部が、８０２．１１無線ネットワークを介して実施される。他の通話参加者の場所に応じて、ＩＰベースの通話としてインターネットを、従来の通話としてＰＳＴＮを、モバイル通話としてモバイル・ネットワークを、または８０２．１１通信プロトコルのうちの１つに準拠する別の無線ネットワークを介して、通話の他の一区間が実施され得る。ステップ２８０で、ＭＳＣは、ＭＤＢＳから発生する通話を切断し得る。
【００３９】
図３は、本発明の別の実施形態による、モバイル・ネットワークと無線ネットワークの間でローミングする方法３００を示すフローチャートである。この方法３００は、システムの実装で、ＳＩＰプロキシ・サーバではなく、ＳＩＰリダイレクト・サーバを含むということを除いて、図２の方法と実質上類似している。方法２００と同様に、方法３００は、ユーザが、モバイル・ネットワークおよび８０２．１１準拠の無線ネットワークを介して通信するように構成されたモバイル通信装置を有する状態で開始し得る。さらに、モバイル通信装置は、それ上で実行される、ＳＩＰユーザ・エージェントを含み得る。
【００４０】
この方法３００は、ユーザがモバイル通信装置をアクティブ化して、モバイル・ネットワークを介して通話を確立する、ステップ３０５で開始し得る。通話が確立されると、ステップ３１０で、ユーザおよびモバイル通信装置は、８０２．１１準拠の無線アクセス・ポイントの範囲内でローミングすることができる。ステップ３１５で、モバイル通信装置は、無線アクセス・ポイントを検出し、ステップ３２０で、無線アクセス・ポイントとの無線通信リンクを介して、ＳＩＰリダイレクト・サーバに、ＳＩＰ招待を送信し得る。無線アクセス・ポイントは、招待を、インターネットまたは別のパケット交換網を介してＳＩＰリダイレクト・サーバに転送する。
【００４１】
ステップ３２５で、ＳＩＰリダイレクト・サーバは、要求元モバイル通信装置が親和性を有する対象のゲートウェイを判断する。より具体的には、ＳＩＰリダイレクト・サーバは、ＳＩＰ招待を発行したモバイル通信装置内に配置された、ユーザ・エージェントとの親和性を有するゲートウェイのアドレスを判断する。ステップ３３０で、ＳＩＰリダイレクト・サーバは、要求元ユーザ・エージェントに応答を送信する。この応答は、判断されたゲートウェイのアドレスを指定する。
【００４２】
ステップ３３５で、モバイル通信装置は、ＳＩＰリダイレクト・サーバから受信された応答によって示されるゲートウェイに、ＳＩＰ招待を送信し得る。より具体的には、モバイル通信装置内に配置されたユーザ・エージェントは、指定されたアドレスに、ＳＩＰ招待を送信することができる、ステップ３４０で、選択されたゲートウェイは、ＳＩＰプロキシ・サーバからＳＩＰ招待を受信し、またモバイル通信装置内で実行されるＳＩＰユーザ・エージェントを認証する。ステップ３４５で、モバイル通信装置は、モバイル・ネットワークに送信するために使用される送信パワーを減少させ得る。
【００４３】
上述したように、モバイル通信装置は、モバイル・ネットワークと無線ネットワークの両方から検出された信号の強度またはパワーを比較するように構成され得る。無線ネットワークから検出された信号の強度が、モバイル・ネットワークから検出された信号の強度より大きい場合は、モバイル通信装置は、モバイル・ネットワークに送信するために使用される送信パワーを減少させ、あるいは別の方法で、モバイル・ネットワークに送信される信号を減衰させるように構成され得る。そうでない場合は、モバイル通信装置は、低減されたパワーで、信号をモバイル・ネットワークに送信し、あるいは別の方法で、モバイル・ネットワークに送信される信号を減衰させる必要はない。したがって、通話は、モバイル・ネットワークを介して継続し得る。
【００４４】
ステップ３５０で、ＭＤＢＳは、モバイル装置から送信されている減衰された信号を検出し測定する。ＭＤＢＳは、この情報を、ＭＳＣに伝達することができる。ＭＳＣは、ＭＤＢＳ内でモバイル通信装置から受信された、減衰された信号に関する情報を受信すると、ステップ３５５で、別のＭＤＢＳに通話をハンドオーバーするように試みる。モバイル・ネットワークによって、モバイル通信装置からの減衰された信号が検出されるときに、ＭＳＣ内で、ハンドオーバー状態がトリガされるように、モバイル通信装置は、所定のレベルにまで、モバイル・ネットワークへの送信パワーを低下させ、またはモバイル・ネットワークに送信される信号を減衰させるように構成され、またはプログラムされ得ることを理解されたい。すなわち、ＭＳＣは、モバイル通信装置から受信された信号のパワーが、閾値レベル未満であると測定される場合に、ハンドオーバーを開始し得る。ＭＳＣは、ゲートウェイに、検出されたいずれのハンドオーバー状態についても通知するように構成することもできる。
【００４５】
ステップ３６０で、ゲートウェイは、標準の通信プロトコル、たとえば、規格ＩＳ−４１を使用して、ＭＳＣに、ゲートウェイがモバイル通信装置から、最小限のパワーまたは強度を有する信号を受信したことを知らせる信号を送る。たとえば、アクセス・ポイントは、モバイル通信装置から受信される信号の強度を検出し、ゲートウェイに、その情報を提供することができる。
【００４６】
ステップ３６５で、ゲートウェイは、モバイル通信装置内のＳＩＰユーザ・エージェントの認証に成功したかどうかを判断し得る。そうでない場合は、方法は、ゲートウェイが、モバイル通信装置とのＩＰストリーミング・セッションの設定を拒否する、ステップ３７０に進み得る。その場合、この方法は、終了することができ、通話は、モバイル・ネットワークと存続し得る。ＳＩＰユーザ・エージェントの認証に成功する場合、この方法は、ステップ３７５に進み得る。
【００４７】
ステップ３７５で、ゲートウェイは、標準のストリーミング・プロトコルを使用して、無線アクセス・ポイントを介したモバイル通信装置とのＩＰストリーミング・セッションを設定する。ステップ３８０で、ＭＳＣは、ＭＤＢＳからゲートウェイに、通話を交換する。ステップ３８０の完了後に、モバイル通信装置が関与する、通話の一区間または一部が、８０２．１１無線ネットワークを介して実施される。他の通話参加者の場所に応じて、ＩＰベースの通話としてインターネットを、従来の通話としてＰＳＴＮを、モバイル通話としてモバイル・ネットワークを、または８０２．１１通信プロトコルのうちの１つに準拠する別の無線ネットワークを介して、通話の他の一区間が実施され得る。ステップ３８５で、ＭＳＣは、ＭＤＢＳから発生する通話を切断し得る。
【００４８】
図２および３を参照して、本明細書で述べた方法は、例示するために提供されたものにすぎない。したがって、特定のステップは、本発明の精神または本質的な属性から逸脱せずに、様々な順序で実施され得ることを理解されたい。
【００４９】
本発明は、モバイル通信装置ユーザが、モバイル・ネットワークと８０２．１１無線ネットワークの間で自由にローミングできるようにする解決策を提供する。本明細書で開示した諸実施形態は、モバイル・ネットワークと無線ネットワークの間の音声とデータの両方の通信をサポートする。したがって、モバイル・ユーザは、本明細書で説明したように、モバイル・ネットワークの近くにいようが、無線ネットワークの近くにいようが、音声とデータの両方のサービスにアクセスし続けることができる。
【００５０】
本発明は、ハードウェア、ソフトウェア、またはハードウェアとソフトウェアの組合せで実現することができる。本発明の態様は、１つのコンピュータ・システム内での集中方式でも、また様々な要素が複数の相互接続されたコンピュータ・システムにわたって分散される分散方式でも実現することができる。本明細書で述べた方法を実施するように適応された任意の種類のコンピュータ・システムまたは他の装置が適する。ハードウェアとソフトウェアの典型的な組合せは、ロードされ実行されるときに、コンピュータ・システムが本明細書で述べた方法を実施するようにそれを制御する、コンピュータ・プログラムを含む汎用コンピュータ・システムであり得る。
【００５１】
本発明の態様は、本明細書で述べた方法の実施を可能にするすべての特徴を含み、またコンピュータ・システム内にロードされるときに、こうした方法を実施することができるコンピュータ・プログラム・プロダクト内に組み込むこともできる。コンピュータ・プログラムは、この文脈では、情報処理能力を有するシステムに、特定の機能を、直接に、あるいは、ａ）別の言語、コードまたは表記への変換、ｂ）別の材料の形での複製、のいずれかまたは両方を行った後で実施させるための、１組の命令の任意の言語、コードまたは表記での任意の表現を意味する。
【００５２】
本発明は、その精神または本質的な属性から逸脱せずに、他の形で実施することができる。したがって、言及は、上記の明細ではなく、本発明の範囲を示す特許請求の範囲に対して行われるべきである。
【図面の簡単な説明】
【００５３】
【図１】本明細書に開示する本発明の構成による、モバイル通信ネットワークと無線通信ネットワークの間でローミングするためのシステムを示す概略図である。
【図２】本発明の一態様による、モバイル通信ネットワークと無線通信ネットワークの間でローミングする方法を示すフローチャートである。
【図３】本発明の別の態様による、モバイル通信ネットワークと無線通信ネットワークの間でローミングする方法を示すフローチャートである。
【符号の説明】
【００５４】
１００  システム
１０５  無線ネットワーク
１１０  アクセス・ポイント
１１５  アクセス・ポイント
１２５  モバイル・ネットワーク
１３０  モバイル・データ基地局
１３５  モバイル交換局
１４０  カバレージ・エリア
１４５  モバイル・ネットワーク
１５０  モバイル・ネットワーク
１５５  公衆交換電話網
１６０  サービス交換ポイント
１６５  サービス交換ポイント
１７０  信号転送ポイント
１７５  信号転送ポイント
１８０  インターネット
１８５  モバイル通信装置
１９０  ゲートウェイ
１９２  ゲートウェイ
１９４  ゲートウェイ
１９８  ＳＩＰプロキシ
２００  方法
３００  方法
【図１】
2005184817.tif 000003
【図２】
2005184817.tif 000004
【図３】
2005184817.tif 000005